(57)【要約】      （修正有）【課題】良好な緩衝性能を得ることができ、シンプルで組み立てやすくデザイン性にも優れた緩衝機能付き包装体及びこれを用いた包装箱を提供する。【解決手段】台紙に一列に連接された第一の側面板２０、第二の側面板２２及び支持板１８は、互いに平行な主折罫線２４ａ，２４ｂで区切られている。支持板１８の内側は、主折罫線２４ａと平行な副折罫線２８ａ，２８ｂによって、両端部の第一及び第二の糊付け部３０，３２と中央部の収容物支持部３４とに区切られている。主折罫線２４ａ，２４ｂが折り曲げられて３つの板１８，２０，２２が順に重なり、第一の糊付け部３０が第一の側面板２０に、第二の糊付け部３２が第二の側面板２２に各々糊付けされる。第一及び第二の側面板２０，２２を外向きに湾曲させる操作により、収容物支持部３４が第一及び第二の側面板２０，２２と交差する位置に移動し、収容物支持部３４の上方に収容空間３６が形成される。【選択図】図１
0003212133.tif 000002
【実用新案登録請求の範囲】
【請求項１】
１枚の台紙から成り、前記台紙は、一列に連接された第一の側面板、第二の側面板及び支持板を有し、この３つの板は、互いに平行な２つの主折罫線で区切られており、前記支持板の内側は、前記主折罫線と平行な２つの副折罫線によって、両端に位置する第一の糊付け部及び第二の糊付け部と、これらに挟まれた収容物支持部とに区切られ、
組み立て状態で、前記２つの主折罫線が折り曲げられて、前記３つの板が前記第一の側面板、前記支持板、前記第二の側面板の順に重なり、前記第一の糊付け部が前記第一の側面板に糊付けされ、前記第二の糊付け部が前記第二の側面板に糊付けされ、
前記２つの主折罫線を接近させて前記第一及び第二の側面板を各々外向きに湾曲させる操作が行われると、前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成されることを特徴とする緩衝機能付き包装体。
【請求項２】
前記第一及び第二の側面板の少なくとも一方は、補助折罫線によって上端部分が他の部分と区切られ、前記補助折罫線を折り曲げて前記上端部分を倒す操作が行われると、前記上端部分によって前記収容空間の上方が塞がれる請求項１記載の緩衝機能付き包装体。
【請求項３】
前記収容空間に収容物が入れられた状態で、平坦な面に置かれて自立できるように、前記第一の側面板、前記第二の側面板及び前記支持板の下端部が形成されている請求項１又は２記載の緩衝機能付き包装体。
【請求項４】
請求項１乃至３のいずれか記載の緩衝機能付き包装体とこれを収容する外箱とで構成され、収容物が入れられた前記緩衝機能付き包装体は、前記外箱内に収納されると、前記２つの主折罫線がある左右の側端部が、前記外箱の対角に位置する一対の角部の内面にガイドされ、位置決めされることを特徴とする包装箱。
【考案の詳細な説明】
【技術分野】
【０００１】
本考案は、瓶等の収容物を緩衝的に保護する緩衝機能付き包装体とこれを用いた包装箱に関する。
【背景技術】
【０００２】
従来、特許文献１に開示されているように、１枚の台紙から成り、前面板の両側の側辺と、背面板の両側の側辺とをそれぞれ連結し、両側辺を互いに接近させ、前面板と背面板をそれぞれ外向きに膨らませるように湾曲させて両板の間に空間を形成し、この空間に収容物（化粧品の瓶等）を収納するようにした包装箱があった。この包装箱は、収容物を緩衝的に支持する上げ底部を有しており、台紙の前面板と背面板の下端部に、上げ底部を形成するための突片が延設され、各突片には、その内側を複数の折目線で区切ることによって、所定形状の起立片、支持片及び折り込み片が設けられている。
【０００３】
また、特許文献２に開示されているように、外箱の中に所定の仕切り枠体を収容することによって形成された包装箱があった。仕切り枠体は、瓶等の収容物を囲む４つの側面を有し、４方の角部から櫛形舌片が折り曲げられずに突出し、外箱の側壁の内側面を支承する。また、４つの側面の中の２つの下端部が延長され、外箱に入れるとき、この延長部分が折り曲げられ、収容物を緩衝的に支持する上げ底部が形成される。
【先行技術文献】
【特許文献】
【０００４】
【特許文献１】特開２０１２−９１８４１号公報
【特許文献２】実開昭６３−９４１１５号公報
【考案の概要】
【考案が解決しようとする課題】
【０００５】
特許文献１に開示された包装箱は、上げ底部を形成するための突片等の構造が複雑であり、台紙を組み立てる作業も手間が掛かるものである。
【０００６】
特許文献２に開示された包装箱の場合、仕切り枠体を外箱から取り出すと上げ底部の形状が維持できないので、仕切り枠体単体で使用することは困難である。また、仕切り枠体は、複数の櫛形舌片が側方に突出する構造であり、単体で使用する場合に見栄えがよくない。
【０００７】
本考案は、上記背景技術の問題点に鑑みてなされたものであり、良好な緩衝性能を得ることができ、シンプルで組み立てやすくデザイン性にも優れた緩衝機能付き包装体及びこれを用いた包装箱を提供することを目的とする。
【課題を解決するための手段】
【０００８】
本考案は、１枚の台紙から成り、前記台紙は、一列に連接された第一の側面板、第二の側面板及び支持板を有し、この３つの板は、互いに平行な２つの主折罫線で区切られており、前記支持板の内側は、前記主折罫線と平行な２つの副折罫線によって、両端に位置する第一の糊付け部及び第二の糊付け部と、これらに挟まれた収容物支持部とに区切られ、
組み立て状態で、前記２つの主折罫線が折り曲げられて、前記３つの板が前記第一の側面板、前記支持板、前記第二の側面板の順に重なり、前記第一の糊付け部が前記第一の側面板に糊付けされ、前記第二の糊付け部が前記第二の側面板に糊付けされ、
前記２つの主折罫線を接近させて前記第一及び第二の側面板を各々外向きに湾曲させる操作が行われると、前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成される緩衝機能付き包装体である。
【０００９】
前記第一及び第二の側面板の少なくとも一方は、補助折罫線によって上端部分が他の部分と区切られ、前記補助折罫線を折り曲げて前記上端部分を倒す操作が行われると、前記上端部分によって前記収容空間の上方が塞がれる構成にすることができる。
【００１０】
前記収容空間に収容物が入れられた状態で、平坦な面に置かれて自立できるように、前記第一の側面板、前記第二の側面板及び前記支持板の下端部が形成されている構成にすることが好ましい。
【００１１】
また、本考案は、上記の緩衝機能付き包装体とこれを収容する外箱とで構成され、収容物が入れられた前記緩衝機能付き包装体は、前記外箱内に収納されると、前記２つの主折罫線がある左右の側端部が、前記外箱の対角に位置する一対の角部の内面にガイドされ、位置決めされる包装箱である。
【考案の効果】
【００１２】
本考案の緩衝機能付き包装体は、瓶等の収容物を効果的に保護することができ、しかも、構造がシンプルで非常に組み立てやすく、デザイン性にも優れている。
【００１３】
また、本考案の包装箱は、緩衝機能を備えていない既存の外箱の中に上記緩衝機能付き包装体を設置することによって簡単に形成することができ、高い緩衝性能を有する包装箱を容易に得ることができる。
【図面の簡単な説明】
【００１４】
【図１】本考案の緩衝機能付き包装体の第一の実施形態の組み立て状態を示す斜視図（ａ）、底面図（ｂ）である。
【図２】第一の実施形態の緩衝機能付き包装体を形成する台紙を表面側から見た展開図である。
【図３】本考案の包装箱の第一の実施形態の組み立て状態を示す斜視図である。
【図４】本考案の緩衝機能付き包装体の第二の実施形態を形成する台紙を表面側から見た展開図（ａ）、組み立て状態を示す底面図（ｂ）である。
【考案を実施するための形態】
【００１５】
以下、本考案の緩衝機能付き包装体及びこれを用いた包装箱の第一の実施形態について、図１〜図３に基づいて説明する。この実施形態の緩衝機能付き包装体１０は、図１（ａ）、（ｂ）に示すように、内側に瓶等の収容物Ｓを収容して緩衝的に保護する部材であり、包装箱１２は、別途用意した外箱１４内に緩衝機能付き包装体１０を設置することによって形成される箱である。
【００１６】
緩衝機能付き包装体１０は、厚紙等のブランクシートを打ち抜いて形成された台紙１６を組み立てることによって形成される。台紙１６は、図２に示すように、左側から順番に支持板１８、第一の側面板２０、第二の側面板２２が一列に連接され、互いに平行な２つの主折罫線２４ａ，２４ｂで区切られている。３つの板は、連接方向長さがほぼ同じに設定されている。
【００１７】
第一の側面板２０は、長方形の上端を円弧状に膨出させたような外形で、円弧状に膨出した部分の基端部に下向き円弧状の補助折罫線２６が設けられ、本体部分２０ａと上端部分２０ｂとに区切られている。第二の側面板２２は、外形が略正方形で、下側端辺が第一の側面板２２の下側端辺とほぼ直線的に連続している。
【００１８】
支持板１８は、外形が略Ｕ字状で、下側端辺が第一の側面板２０の下側端辺とほぼ直線的に連続している。また、支持板１８の内側は、主折罫線２４ａ，２４ｂと平行な２つの副折罫線２８ａ，２８ｂによって、第一の側面板２０から離れた方の端部である第一の糊付け部３０と、反対側の端部である第二の糊付け部３２と、２つの糊付け部３０，３２に挟まれた収容物支持部３４とに区切られている。
【００１９】
第一の糊付け部３０の形状は上下方向に長い略長方形で、上下方向の長さが第二の側面板２２の約3/5である。第二の糊付け部３３の形状は上下方向に長い略長方形で、上下方向の長さが第二の側面板２２とほぼ等しい。収容物支持部３４の形状は左右方向に長い略長方形で、上下方向の長さが第二の側面板２２の約1/5である。
【００２０】
ここで、収容物Ｓと各部の寸法との関係を説明すると、第一及び第二の側面板２０，２２の連接方向長さは、収容物Ｓの直径の約2.5倍である。第一の側面板２０の下側端辺から補助折罫線２６までの距離は、収容物Ｓの高さと収容物支持部３４の上下方向の長さとを加算した値よりも少し長い。また、収容物支持部３４の左右方向の長さは、収容物Ｓの直径よりも僅かに長い。
【００２１】
次に、緩衝機能付き包装体１０の組み立て方法の一例を説明する。図２は台紙１６を表面側から見た展開図であり、以下、台紙１６の表面が凸になる折り方を正折り、裏面が凸になる折り方を逆折りと称する。
【００２２】
まず、支持板１８の第一の糊付け部３０の裏面に糊を塗布し、主折罫線２４ａを正折りして支持板１８を第一の側面板２０の裏面に重ね、第一の側面板２０の側端部に第一の糊付け部３０を糊付けする。その後、第二の糊付け部３２の表面に糊を塗布し、主折罫線２４ｂを正折りして第二の側面板２２を支持板１８の表面に重ね、第二の側面板２２の側端部に第二の糊付け部３２を糊付けする。これで、第一の側面板２０、支持板１８、第二の側面板２２が順番に重なった折り畳み状態となり、緩衝機能付き包装体１０を製造する工場等から出荷される。
【００２３】
次に、収容物Ｓを包装する工場等において、作業者が、折り畳み状態の緩衝機能付き包装体１０を立体的に変形させて収容物Ｓを収容する操作を行う。まず、緩衝機能付き包装体１０を手に持ち、図１（ａ），（ｂ）に示すように、２つの主折罫線２４ａ，２４ｂを接近させるように力を加え、第一及び第二の側面板２０，２２を各々外向きに湾曲させる操作を行う。すると、２つの副折罫線２８ａ，２８ｂが自動的に折れ曲がり（副折罫線２８ａが正折り、副折罫線２８ｂが逆折り）、収容物支持部３４が第一及び第二側面板２０，２２に対して交差する位置に移動する。
【００２４】
これで、収容物支持部３４の上方に、第一及び第二の側面板２０，２２と収容物支持部３４とで囲まれた収容空間３６が形成されるので、収容物Ｓを中に入れる。そして、収容物Ｓの底部が収容物支持部３４の上端部に支持された状態で、第一及び第二の側面板２０，２２を湾曲させる操作を止める。すると、緩衝機能付き包装体１０が平坦な折り畳み状態に戻ろうとするので、収容物Ｓの側面が第一の側面板２０の本体部２０ａと第二の側面板２２との間に挟持され、位置決めされる。
【００２５】
その後、第一の側面板２０の補助折罫線２６を正折りし、上端部分２０ｂを倒して収容空間３６の上方を塞ぐ。これで、緩衝機能付き包装体１０の組み立て作業が終了し、図１（ａ）に示す状態になる。
【００２６】
次に、図３（ａ），（ｂ）に示すように、緩衝機能付き包装体１０を、別に組み立てた外箱１４の中に設置する。外箱１４は略直方体で、内側の対角線の長さが組み立て状態の緩衝機能付き包装体１０の幅（２つの主折罫線２４ａ，２４ｂの間隔）よりも僅かに長い。したがって、緩衝機能付き包装体１０は、外箱１４内に収納されると、主折罫線２４ａ，２４ｂがある左右の側端部が、外箱１４の対角に位置する一対の角部１４ａ，１４ｂの内面にガイドされ、位置決めされる。そして、外箱１４の天蓋を閉鎖することによって包装が終了し、収容物Ｓが包装箱１２に入った状態で出荷される。
【００２７】
包装箱１２は、どの方向から衝撃が加わっても収容物Ｓを保護することができるので、輸送中等に収容物Ｓが破損するのを効果的に防止することができる。また、収容物Ｓを購入した使用者は、外箱１４を廃棄し、図１（ａ），（ｂ）に示す状態で収容物Ｓを保管することができる。緩衝機能付き包装体１０単体の緩衝性能は、外箱１４を備えた包装箱１２よりも低いが、家の中や事務所等で収容物Ｓを保管するには十分である。また、緩衝機能付き包装体１０は、平坦面に縦置きすればコンパクトに自立する構造であり、デザイン性にも優れているので、部屋の雰囲気を妨げることはない。
【００２８】
以上説明したように、緩衝機能付き包装体１０は、瓶等の収容物Ｓを効果的に保護することができ、しかも、構造がシンプルで非常に組み立てやすく、デザイン性にも優れている。
【００２９】
また、包装箱１２は、緩衝機能を備えていない既存の外箱１４の中に緩衝機能付き包装体１０を設置することによって簡単に形成することができ、高い緩衝性能を有する包装箱を容易に得ることができる。
【００３０】
次に、本考案の緩衝機能付き包装体の第二の実施形態について、図４に基づいて説明する。ここで、上記実施形態と同一の構成は、同一の符号を付して説明する。
【００３１】
この実施形態の緩衝機能付き包装体３８は、上記の緩衝機能付き包装体１０と同様に、内側に瓶等の収容物Ｓを収容して緩衝的に保護する部材であり、厚紙等のブランクシートを打ち抜いて形成された台紙４０を組み立てることによって形成される。台紙４０は、図４（ａ）に示すように、左側から順番に第一の側面板２０、第二の側面板２２、支持板４２、が一列に連接され、互いに平行な２つの主折罫線４４ａ，４４ｂで区切られている。３つの板は、連接方向長さがほぼ同じに設定されている。
【００３２】
第一の側面板２０は、上記のように長方形の上端を円弧状に膨出させたような外形で、円弧状に膨出した部分の基端部に下向き円弧状の補助折罫線２６が設けられ、本体部分２０ａと上端部分２０ｂとに区切られている。第二の側面板２２は、上記のように外形が略正方形で、下側端辺が第一の側面板２２の下側端辺とほぼ直線的に連続している。
【００３３】
支持板４２は、外形が略Ｕ字状で、下側端辺が第二の側面板２２の下側端辺とほぼ直線的に連続していつ。また、支持板４２の内側は、主折罫線４４ａ，４４ｂと平行な２つの副折罫線４６ａ，４６ｂによって、第二の側面板２２側の端部である第一の糊付け部４８と、反対側の端部である第二の糊付け部５０と、２つの糊付け部４８，５０に挟まれた収容物支持部５２とに区切られている。
【００３４】
第一の糊付け部４８の形状は上下方向に長い略長方形で、上下方向の長さが第二の側面板２２とほぼ等しい。第二の糊付け部５０の形状は上下方向に長い略長方形で、上下方向の長さが第二の側面板２２の約3/5である。収容物支持部５２の形状は左右方向に長い略長方形で、上下方向の長さが第二の側面板２２の約1/5である。
【００３５】
ここで、収容物Ｓと各部の寸法との関係を説明すると、第一及び第二の側面板２０，２２の連接方向長さは、収容物Ｓの直径の約2.5倍である。第一の側面板２０の下側端辺から補助折罫線２６までの距離は、収容物Ｓの高さと収容物支持部５２の上下方向の長さとを加算した値よりも少し長い。また、収容物支持部５２の左右方向の長さは、収容物Ｓの直径よりも僅かに長い。
【００３６】
次に、緩衝機能付き包装体３８の組み立て方法の一例を説明する。図４は台紙４０を表面側から見た展開図であり、以下、台紙４０の表面が凸になる折り方を正折り、裏面が凸になる折り方を逆折りと称する。
【００３７】
まず、支持板４２の第二の糊付け部５０の裏面に糊を塗布し、主折罫線４４ａを正折りして支持板４２を第二の側面板２２の裏面に重ね、第二の側面板２２の側端部に第二の糊付け部５０を糊付けする。その後、第一の糊付け部４８の表面に糊を塗布し、主折罫線４４ｂを正折りして第一の側面板２０を支持板４２の表面に重ね、第一の側面板２０の側端部に第一の糊付け部４８を糊付けする。これで、第一の側面板２０、支持板４２、第二の側面板２２が順番に重なった折り畳み状態となり、緩衝機能付き包装体３８を製造する工場等から出荷される。
【００３８】
次に、収容物Ｓを包装する工場等において、作業者が、折り畳み状態の緩衝機能付き包装体３８を立体的に変形させて収容物Ｓを収容する操作を行う。まず、緩衝機能付き包装体１０を手に持ち、図４（ｂ）に示すように、２つの主折罫線４４ａ，４４ｂを接近させるように力を加え、第一及び第二の側面板２０，２２を各々外向きに湾曲させる操作を行う。すると、２つの副折罫線４６ａ，４６ｂが自動的に折れ曲がり（副折罫線４６ａが正折り、副折罫線４６ｂが逆折り）、収容物支持部５２が第一及び第二側面板２０，２２に対して交差する位置に移動する。
【００３９】
これで、収容物支持部５２の上方に、第一及び第二の側面板２０，２２と収容物支持部５４とで囲まれた収容空間３６が形成されるので、収容物Ｓを中に入れる。そして、収容物Ｓの底部が収容物支持部５２の上端部に支持された状態で、第一及び第二の側面板２０，２２を湾曲させる操作を止める。すると、緩衝機能付き包装体３８が平坦な折り畳み状態に戻ろうとするので、収容物Ｓの側面が第一の側面板２０の本体部２０ａと第二の側面板２２との間に挟持され、位置決めされる。
【００４０】
その後、第一の側面板２０の補助折罫線２６を正折りし、上端部分２０ｂを倒して収容空間３６の上方を塞ぐ。これで、緩衝機能付き包装体１０の組み立て作業が終了し、上記の緩衝機能付き包装体１０と同様の外観になる（図１（ａ））。
【００４１】
なお、第一の実施形態の緩衝機能付き包装体１０の場合、第二の糊付け部３０は、第一の糊付け部と協働して収容部支持部３４を保持する働きだけでなく、第一の側面板２０の本体部分２０ａの端部（主折罫線２４ａ側の端部）と第二の側面板２２の端部（主折罫線２４ｂと反対側の端部）との接合にも寄与している。本体部分２０ａ及び第二の側面板２２は、収容空間３６内の収容物Ｓが簡単に脱落しないように、しっかりした筒状体を形成することが好ましい。そのため、第二の糊付け部３２の外形は、第一の糊付け部３０よりも大きくなっている。
【００４２】
一方、緩衝機能付き包装体３８の場合、本体部分２０ａの端部（主折罫線４４ｂと反対側の端部）と第二の側面板２２の端部（主折罫線４４ａ側の端部）との接合に寄与するのは、第一の糊付け部４８の方である。したがって、緩衝機能付き包装体３８は、第一の糊付け部４８の外形が第二の糊付け部５０よりも大きくなっている。なお、第二の糊付け部５０の外形は、第一の糊付け部４８に合わせて大きくしても構わない。
【００４３】
この実施形態の緩衝機能付き包装体３８も、上記の緩衝機能付き包装体１０と同様の作用効果を得ることができる。また、外箱１４と組み合わせることによって、上記の包装箱１２と同様の包装箱を構成することができる。
【００４４】
なお、本考案の緩衝機能付き包装体及びこれを用いた包装箱は、上記実施形態に限定されるものではない。例えば、上記の緩衝機能付き包装体１０，３８は、収容空間３６の上方を覆う上端部分２０ｂを第一の側面板２０だけに設けている、収容物Ｓの上端側の保護を強化するため、第二の側面板２２にも同様の上端部分を設けてもよい。また、収容物Ｓの上端側の保護が不要であれば、第一の側面板２０も上端部分２０ｂを省略し、第二の側面板２２と同様の構造に変更することも可能である。
【００４５】
また、緩衝機能付き包装体を入れる外箱は、底部や蓋部の構造は自由に設定することができ、蓋部については必要に応じて省略してもよい。
【符号の説明】
【００４６】
１０，３８  緩衝機能付き包装体
１２  包装箱
１４  外箱
１６，４０  台紙
１８，４２  支持板
２０  第一の側面板
２０ａ  上端部分
２０ｂ  本体部分
２２  第二の側面板
２４ａ，２４ｂ，４４ａ，４４ｂ  主折罫線
２６  補助折罫線
２８ａ，２８ｂ，４６ａ，４６ｂ  副折罫線
３０，４８  第一の糊付け部
３２，５０  第二の糊付け部
３４，５２  収容物支持部
３６  収容空間
Ｓ  収容物
【図１】
0003212133.tif 000003
【図２】
0003212133.tif 000004
【図３】
0003212133.tif 000005
【図４】
0003212133.tif 000006